(57)【要約】【課題】  操作に不慣れな使用者でも使い易い画像表示装置を提供する。【解決手段】  通信機能付き画像表示装置１は、画像データを添付した電子メールを受信する通信部を備える。電子メールを受信した時に、画像データを記録する記録部を備える。画像データを表示する表示部１５を備える。画像データに基づく画像、電子メールを表示部に表示させる操作に使用される第１操作部１１を備える。第１操作部１１は、表示部１５の近傍に一行に並べられた、第１操作キー１１ａ〜第６操作キー１１ｆを有し、表示部１５は、第１操作キー１１ａ〜第６操作キー１１ｆの近傍に、操作キーのそれぞれを操作した時に動作する機能を表示する機能表示領域１５ａの表示を行う。【選択図】図１
2012234225.tif 000002
【特許請求の範囲】
【請求項１】
画像データを添付した電子メールを受信する通信部と、
前記電子メールを受信した時に、前記画像データを記録する記録部と、
前記画像データを表示する表示部と、
前記画像データに基づく画像、前記電子メールを前記表示部に表示させる操作に使用される第１操作部とを備え、
前記第１操作部は、前記表示部の近傍に一列、若しくは一行に並べられた、４以上、８以下の操作キーを有し、
前記表示部は、前記操作キーの近傍に、前記操作キーのそれぞれを操作した時に動作する機能を表示する機能表示領域の表示を行うことを特徴とする通信機能付き画像表示装置。
【請求項２】
前記表示部のバックライトのオンオフ、若しくは前記表示部の画面表示のオンオフを操作するために使用される操作キーを有する第２操作部を更に備え、
前記第２操作部は、前記表示部の近傍に設けられ、
前記第２操作部の操作キーの近傍若しくは表面には、オンオフを表す文字表記または図形表記が施されることを特徴とする請求項１に記載の通信機能付き画像表示装置。
【請求項３】
前記表示部が、前記電子メールの内容を表示する場合、前記機能表示領域の一つで、返信を行う機能の表示が行われ、
前記返信を行う機能が表示された機能表示領域に対応する操作キーが操作されると、前記通信部を介して、前記電子メールの送信元に対して、定型文を含む返信メールが送信されることを特徴とする請求項１に記載の通信機能付き画像表示装置。
【請求項４】
前記第１操作部の操作キーを操作することにより、前記通信部を介して、電話の着信、予め設定した電話番号への発信や、予め設定した電子メールアドレスへのメール送受信が行われ、他の電話番号への発信や他の電子メールアドレスへのメール送受信は禁止されることを特徴とする請求項１に記載の通信機能付き画像表示装置。
【発明の詳細な説明】
【技術分野】
【０００１】
本発明は、通信機能付き画像表示装置に関する。
【背景技術】
【０００２】
特許文献１のように、タッチパネルを具備した携帯端末が提案されている。タッチパネルを具備した携帯端末は、画面上に表示されたアイコンなどに触れることにより、表示画面が変化したり、特定の機能が動作したりする。
【先行技術文献】
【特許文献】
【０００３】
【特許文献１】特開２００１−２４９８７４号公報
【発明の概要】
【発明が解決しようとする課題】
【０００４】
しかしながら、タッチパネルは、画面遷移をある程度理解していないと使いづらく、操作に不慣れな使用者には使いこなせない問題があった。
【０００５】
したがって本発明の目的は、操作に不慣れな使用者でも使い易い画像表示装置を提供することである。
【課題を解決するための手段】
【０００６】
本発明に係る通信機能付き画像表示装置は、画像データを添付した電子メールを受信する通信部と、電子メールを受信した時に、画像データを記録する記録部と、画像データを表示する表示部と、画像データに基づく画像、電子メールを表示部に表示させる操作に使用される第１操作部とを備え、第１操作部は、表示部の近傍に一列、若しくは一行に並べられた、４以上、８以下の操作キーを有し、表示部は、操作キーの近傍に、操作キーのそれぞれを操作した時に動作する機能を表示する機能表示領域の表示を行う。
【０００７】
通信機能付き画像表示装置の操作は、他の操作ボタンを必要とせず、機能表示領域に表示された情報（文字やアイコン）を見ながら、機能表示領域に対応する操作キーを操作することにより行われる。機能表示領域は、操作キーそれぞれの近傍に配置されるため、対応関係は分かりやすく、誤操作する可能性が低い。また、様々な機能を動作させるための操作キーであるが、その機能は、機能表示領域に表示されるし、動作状態に応じてその表示内容も変化する。このため、操作キーのそれぞれに、機能を説明する表記を行う必要もない。また、タッチパネルに触れる形態に比べて、操作した感覚を使用者が感じることが出来、操作に不慣れな使用者でも、簡単に操作を行うことが可能になる。
【０００８】
なお、通信機能付き画像表示装置の表示部に表示する画像のデータは、画像データを添付した電子メールを受信した時に、自動的に記録部に記録されるため、使用者が画像データの取り込みの為に特別な操作を行う必要はない。
【０００９】
好ましくは、表示部のバックライトのオンオフ、若しくは表示部の画面表示のオンオフを操作するために使用される操作キーを有する第２操作部を更に備え、第２操作部は、表示部の近傍に設けられ、第２操作部の操作キーの近傍若しくは表面には、オンオフを表す文字表記または図形表記が施される。
【００１０】
第２操作部の操作キーの押下により、通信機能付き画像表示装置の主電源のオンオフ操作は行われないが、表示部のバックライトのオンオフにより、表示画面が見えない（若しくは見えにくい）状態になり、通信機能付き画像表示装置の使用者は、あたかも通信機能付き画像表示装置１の主電源のオンオフ切り替えを出来た感覚になる。ただし、実際には主電源はオン状態のまま維持されているので、次に使用する際に立ち上げに時間を要することもないし、電話の着信や電子メールの受信を継続して行うことが出来る。
【００１１】
また、好ましくは、表示部が、電子メールの内容を表示する場合、機能表示領域の一つで、返信を行う機能の表示が行われ、返信を行う機能が表示された機能表示領域に対応する操作キーが操作されると、通信部を介して、電子メールの送信元に対して、定型文を含む返信メールが送信される。
【００１２】
受信した電子メールの返信についても、使用者による一定の動作だけで、定型文を送り返すことが出来る。このため、通信機能付き画像表示装置に対して電子メールを送った送信者は、かかる定型文の返信メールを受け取ることにより、通信機能付き画像表示装置の使用者の安否を確認することが可能になる。
【００１３】
また、好ましくは、第１操作部の操作キーを操作することにより、通信部を介して、電話の着信、予め設定した電話番号への発信や、予め設定した電子メールアドレスへのメール送受信が行われ、他の電話番号への発信や他の電子メールアドレスへのメール送受信は禁止される。
【００１４】
他の電話番号への発信や他の電子メールアドレスへのメール送受信は行われないため、電話番号や電子メールを登録するためのメモリ容量を節約出来るし、迷惑メールの受信を防止することが可能になる。
【発明の効果】
【００１５】
以上のように本発明によれば、操作に不慣れな使用者でも使い易い画像表示装置を提供することができる。
【図面の簡単な説明】
【００１６】
【図１】本実施形態における通信機能付き画像表示装置の斜視図である。
【図２】通信機能付き画像表示装置の各部を示す構成図である。
【図３】第１状態における表示部の画面と第１操作キー〜第６操作キーを示す図である。
【図４】第２状態における表示部の画面と第１操作キー〜第６操作キーを示す図である。
【図５】第４状態における表示部の画面と第１操作キー〜第６操作キーを示す図である。
【図６】第５状態における表示部の画面と第１操作キー〜第６操作キーを示す図である。
【図７】第７状態における表示部の画面と第１操作キー〜第６操作キーを示す図である。
【図８】第８状態における表示部の画面と第１操作キー〜第６操作キーを示す図である。
【図９】第９状態における表示部の画面と第１操作キー〜第６操作キーを示す図である。
【発明を実施するための形態】
【００１７】
以下、本実施形態における通信機能付き画像表示装置の構成について、図を用いて説明する。本実施形態に係る通信機能付き画像表示装置１は、第１操作部１１、第２操作部１２、制御部１３、表示部１５、通信部１７、記録部１９、外部接続インターフェース２１、記録媒体保持部２３、マイク２５、スピーカー２７を備える（図１、図２参照）。
【００１８】
本実施形態における通信機能付き画像表示装置１は、横長に立てた状態で載置出来る携帯情報端末であり、例えば、Android（アンドロイド）プラットフォームで構成される。本実施形態における画像表示プログラムは、Widget（ウィジェット：デスクトップ上で特定の機能を実行するための簡易的なアプリケーション）で構成される。
【００１９】
Androidプラットフォームで構成することにより、他のプラットフォームを使用する場合に比べて拡張性を持った上で、開発コストを安く抑えることが可能になる。ただし、通信機能付き画像表示装置１のプラットフォームは、他のものであってもよい。Widgetで構成することにより、比較的簡単に画像表示プログラムを開発することが可能になるが、画像表示プログラムはWidget以外で構成されるものであってもよい。
【００２０】
第１操作部１１は、第１操作キー１１ａ、第２操作キー１１ｂ、第３操作キー１１ｃ、第４操作キー１１ｄ、第５操作キー１１ｅ、第６操作キー１１ｆを有する。
【００２１】
第２操作部１２は、「オンオフ」表記（図１では、「入／切」表記）の近傍に配置された操作キー（若しくは、表面に「オンオフ」若しくは「入／切」と表記された操作キー）を有する。第２操作部１２の操作キーを押下することにより、表示部１５のバックライトのオンオフが切り替えられる（表示部１５の表示デバイスが有機ＥＬなどの自発光体の場合には、画面表示のオンオフが切り替えられる）。さらに、第２操作部１２の操作キーの押下により、表示部１５の画面表示、第１操作部１１の第１操作キー１１ａ〜第６操作キー１１ｆの操作受付が中止されるスリープ状態のオンオフ切り替えが行われる形態であってもよい。
【００２２】
第２操作部１２の操作キーの近傍（若しくは操作キーの表面）には、オンオフを表す文字表記が施される（図形表記であってもよい）。第２操作部１２の操作キーの押下により、通信機能付き画像表示装置１の主電源のオンオフ操作は行われないが、表示部１５のバックライトのオンオフにより、表示画面が見えない（若しくは見えにくい）状態になり、通信機能付き画像表示装置１の使用者は、あたかも通信機能付き画像表示装置１の主電源のオンオフ切り替えを出来た感覚になる。ただし、実際には主電源はオン状態のまま維持されているので、次に使用する際に立ち上げに時間を要することもないし、電話の着信や電子メールの受信を継続して行うことが出来る。
【００２３】
画像表示プログラムは、通信機能付き画像表示装置１の主電源がオン状態にされると起動し、第２操作部１２の操作キーの押下に関係なくプログラムの実行は維持される。
【００２４】
制御部１３は、ＣＰＵなど各部を制御し、特に、本実施形態では、記録部１９にインストールされた画像表示プログラムを実行する。
【００２５】
表示部１５は、記録部１９に記録された画像、記録媒体保持部２３が保持する記録媒体に記録された画像、受信した電子メール（以下、「受信メール」とする。）の内容、記録部１９にインストールされた画像表示プログラムの実行画面などを表示する。
【００２６】
通信部１７は、ＰＨＳを含む電話回線を介して、外部機器と通信を行う装置で、携帯電話モジュールを有する。本実施形態では、通信部１７を介して、電話の着信、予め設定した電話番号への発信（例えば、１つの電話番号への発信）や、予め設定した電子メールアドレスへのメール送受信が行われる（例えば、２０の電子メールアドレスとのメール送受信）。他の電話番号への発信や他の電子メールアドレスへのメール送受信は行われないため、電話番号や電子メールを登録するためのメモリ容量を節約出来るし、迷惑メールの受信を防止することが可能になる（迷惑メールに埋もれて、重要なメールを見逃す可能性を少なくできる）。
【００２７】
記録部１９には、通信部１７を介して受信メールに添付された画像データが記録されたり、本実施形態における画像表示プログラムがインストールされたりする。画像データは、画像データを添付した電子メールを受信した時に、画像表示プログラムの実行に中で、自動的に記録される。
【００２８】
外部接続インターフェース２１は、ＵＳＢ端子など、外部機器と接続するためのインターフェースを有する。記録媒体保持部２３は、ＳＤカードなど着脱可能な記録媒体を保持する。マイク２５は、通話時の音声入力に使用され、スピーカー２７は、通話時の音声出力や着信音の出力に使用される。
【００２９】
第１操作キー１１ａ〜第６操作キー１１ｆは、表示部１５の近傍に一行に並べられ、一定のストロークがある押しボタンで構成される。本実施形態では、表示部１５の上部（通信機能付き画像表示装置１の上面）に一行に並べられた形態を説明するが、表示部１５の側部に一列に並べられる形態や表示部１５の下部に一行に並べられる形態であってもよい。第２操作部１２は、表示部１５の横（正面から見て右横）に設けられる。
【００３０】
第１操作部１１として使用される操作キーとしては、最低４つの操作キー（表示部の画像表示領域に表示されたサムネール画像、若しくは受信メール一覧の一つを選択するカーソルを正方向に移動させる操作キー、負方向に移動させる操作キー、選択したカーソル位置で決定する操作キー、前画面に戻る操作キー）があれば良く、さらに、電話の発信を決定する操作キーなどで、合計６〜８つの操作キーがあるのが望ましい。
【００３１】
表示部１５は、画像表示プログラムの実行時に、機能表示領域（ヘッダー領域）１５ａ（第１機能表示領域１５ａ１〜第６機能表示領域１５ａ６）、画像表示領域１５ｂ、状態表示領域（フッター領域）１５ｃの表示、若しくは、機能表示領域１５ａや状態表示領域１５ｃを非表示にして、画像表示領域１５ｂを拡大させた全画面表示を行う。
【００３２】
表示部１５は、タッチパネルを有さず、表示画面の切り替えなどの操作は、機能表示領域１５ａを見ながら、第１機能表示領域１５ａ１〜第６機能表示領域１５ａ６に対応する第１操作キー１１ａ〜第６操作キー１１ｆの押下により行われる。
【００３３】
第１機能表示領域１５ａ１〜第６機能表示領域１５ａ６は、それぞれ、第１操作キー１１ａ〜第６操作キー１１ｆの近傍に一行に並べられた状態で設けられ、第１操作キー１１ａ〜第６操作キー１１ｆを押下した時に対応する機能に関する情報（文字やアイコン）を表示する。
【００３４】
すなわち、第１操作キー１１ａ〜第６操作キー１１ｆのいずれかを押下することにより、対応する機能表示領域１５ａ（第１機能表示領域１５ａ１〜第６機能表示領域１５ａ６のいずれか）に表示された機能が実行され、表示部１５に表示される内容（機能表示領域１５ａ、画像表示領域１５ｂ、状態表示領域１５ｃの表示内容）が変化する。
【００３５】
画像表示領域１５ｂは、記録部１９に記録された画像、記録媒体保持部２３が保持する記録媒体に記録された画像、受信メールの内容などを表示する。
【００３６】
状態表示領域１５ｃは、画像表示領域１５ｂに表示された画像の情報（記録部１９に記録されたものであるか、記録媒体保持部２３が保持する着脱可能な記録媒体に記録されたものであるか、画像の順序）、未読メールの有無（未読メールがあると表示されるアイコン）、通信部１７の受信感度、通話音量など、通信機能付き画像表示装置１の状態に関する情報を表示する。
【００３７】
通信機能付き画像表示装置１の主電源がオン状態にされ、画像表示プログラムが起動すると、通信機能付き画像表示装置１が第１状態（初期状態、図３参照）にされ、第１操作キー１１ａ〜第６操作キー１１ｆの操作（押下）により、通信機能付き画像表示装置１が第２状態〜第８状態に変化し、表示部１５の表示内容が変化する。特に、通信機能付き画像表示装置１の動作状態（第１状態〜第８状態）に応じて、第１操作キー１１ａ〜第６操作キー１１ｆの近傍に表示される第１機能表示領域１５ａ１〜第６機能表示領域１５ａ６の表示内容が変化し、第１操作キー１１ａ〜第６操作キー１１ｆを押下した時の動作が変化する。
【００３８】
通信機能付き画像表示装置１の動作状態（第１状態〜第８状態）は一例であり、これに限られるものではなく、例えば、後述するように、着信時の割り込み処理（第９状態）や、別の機能を実行するための画面表示に対応する動作状態が考えられる。以下、第１状態〜第９状態における画面表示や、各操作キーを押下した時の画面遷移などについて説明する。
【００３９】
第１状態（初期状態）では、第１機能表示領域１５ａ１に「写真一覧（本体）」が表示され、第２機能表示領域１５ａ２に「写真一覧（ＳＤ）」が表示され、第３機能表示領域１５ａ３に「メール」が表示され、第５機能表示領域１５ａ５に「発信」が表示され、第６機能表示領域１５ａ６に「設定」が表示される。第４機能表示領域１５ａ４は、空白表示される（図３参照）。
【００４０】
第１状態では、画像表示領域１５ｂには、第１機能表示領域１５ａ１〜第６機能表示領域１５ａ６に表示されたメニューの選択を促す表示（「ホーム、メニューを選んでください」）が行われ、状態表示領域１５ｃには、未読メールの有無を示すアイコンの表示、及び通信部１７の受信感度を示すアイコンの表示が行われる。
【００４１】
第１状態で、第１操作キー１１ａが押下されると、第１機能表示領域１５ａ１に表示された内容「写真一覧（本体）」に対応して、機能表示領域１５ａには、サムネール表示に関連した機能の表示が行われ、画像表示領域１５ｂには、記録部１９に記録された画像のサムネール表示（写真の一覧表示）が行われ、状態表示領域１５ｃには、サムネール表示対象の画像が記録部１９に記録されたものであることを示す表示、サムネール表示のページ数と総ページ数を示す表示、未読メールの有無を示すアイコンの表示、及び通信部１７の受信感度を示すアイコンの表示が行われる（第２状態、図４参照）。
【００４２】
第１状態で、第２操作キー１１ｂが押下されると、第２機能表示領域１５ａ２に表示された内容「写真一覧（ＳＤ）」に対応して、機能表示領域１５ａには、サムネール表示に関連した機能の表示が行われ、画像表示領域１５ｂには、記録媒体保持部２３が保持する着脱可能な記録媒体に記録された画像のサムネール表示（写真の一覧表示）が行われ、状態表示領域１５ｃには、サムネール表示対象の画像が、記録媒体保持部２３が保持する着脱可能な記録媒体に記録されたものであることを示す表示、サムネール表示のページ数と総ページ数を示す表示、未読メールの有無を示すアイコンの表示、及び通信部１７の受信感度を示すアイコンの表示が行われる（第３状態、不図示）。
【００４３】
第１状態で、第３操作キー１１ｃが押下されると、第３機能表示領域１５ａ３に表示された内容「メール」に対応して、機能表示領域１５ａには、メール受信画面に関連した機能の表示が行われ、画像表示領域１５ｂには、受信メールの一覧（件名と受信日時を示す一覧）を示すメール受信画面表示が行われ、状態表示領域１５ｃには、メール一覧表示のページ数と総ページ数を示す表示、未読メールの有無を示すアイコンの表示、及び通信部１７の受信感度を示すアイコンの表示が行われる（第４状態、図５参照）。
【００４４】
第１状態で、第４操作キー１１ｄは無効キーで、押下されても状態変化はない。
【００４５】
第１状態で、第５操作キー１１ｅが押下された場合には、第５機能表示領域１５ａ５に表示された内容「発信」に対応して、通信部１７を介して、予め設定した電話番号への発信が行われ、機能表示領域１５ａには、通話音量など電話の発信に関連した機能の表示が行われ、画像表示領域１５ｂには、発信中であることを示す画像表示が行われ、状態表示領域１５ｃには、通話音量を示す表示、及び通信部１７の受信感度を示すアイコンの表示が行われる（第５状態、図６参照）。
【００４６】
第１状態で、第６操作キー１１ｆが押下された場合には、第６機能表示領域１５ａ６に表示された内容「設定」に対応して、通信機能付き画像表示装置１の設定を行うための画像表示が行われる（第６状態、不図示）。
【００４７】
記録部１９に記録された画像のサムネール表示を行う第２状態では、第１機能表示領域１５ａ１に「前へ」が表示され、第２機能表示領域１５ａ２に「次へ」が表示され、第３機能表示領域１５ａ３に「次のページ」が表示され、第４機能表示領域１５ａ４に「表示」が表示され、第５機能表示領域１５ａ５に「写真の管理」が表示され、第６機能表示領域１５ａ６に「戻る」が表示される（図４参照）。記録媒体保持部２３が保持する着脱可能な記録媒体に記録された画像のサムネール表示を行う第３状態も同様である。
【００４８】
第２状態で、第１操作キー１１ａが押下されると、第１機能表示領域１５ａ１に表示された内容「前へ」に対応して、画像表示領域１５ｂにサムネール表示された画像のうち選択状態（アクティブ）にされた画像が負方向に隣接した画像（前に並べられた画像）に変更される、若しくは、画像表示領域１５ｂのサムネール表示が前ページのものに変更される。
【００４９】
第２状態で、第２操作キー１１ｂが押下されると、第２機能表示領域１５ａ２に表示された内容「次へ」に対応して、画像表示領域１５ｂにサムネール表示された画像のうち選択状態（アクティブ）にされた画像が正方向に隣接した画像（後ろに並べられた画像）に変更される。
【００５０】
第２状態で、第３操作キー１１ｃが押下されると、第３機能表示領域１５ａ３に表示された内容「次のページ」に対応して、画像表示領域１５ｂのサムネール表示が次ページのものに変更される。
【００５１】
第２状態で、第４操作キー１１ｄが押下されると、第４機能表示領域１５ａ４に表示された内容「表示」に対応して、機能表示領域１５ａには、拡大表示された画像に関連した機能の表示が行われ、画像表示領域１５ｂには、サムネール表示された画像のうち選択状態（アクティブ）にされた画像の拡大表示が行われ、状態表示領域１５ｃには、拡大表示対象の画像が記録部１９に記録されたものであることを示す表示、画像表示のページ数と総ページ数を示す表示、未読メールの有無を示すアイコンの表示、及び通信部１７の受信感度を示すアイコンの表示が行われる（第７状態、図７参照）。
【００５２】
第２状態で、第５操作キー１１ｅが押下されると、第５機能表示領域１５ａ５に表示された内容「写真の管理」に対応して、画像データのコピー、移動、削除などを行う管理画面が表示される（不図示）。
【００５３】
第２状態で、第６操作キー１１ｆが押下されると、第６機能表示領域１５ａ６に表示された内容「戻る」に対応して、第１状態に戻される。
【００５４】
受信メールの一覧表示を行う第４状態では、第１機能表示領域１５ａ１に「上へ」が表示され、第２機能表示領域１５ａ２に「下へ」が表示され、第３機能表示領域１５ａ３に「次のページ」が表示され、第４機能表示領域１５ａ４に「見る」が表示され、第５機能表示領域１５ａ５に「削除」が表示され、第６機能表示領域１５ａ６に「戻る」が表示される（図５参照）。
【００５５】
第４状態で、第１操作キー１１ａが押下されると、第１機能表示領域１５ａ１に表示された内容「上へ」に対応して、画像表示領域１５ｂに一覧表示された受信メールのうち選択状態（アクティブ）にされた受信メールが上方向に隣接した受信メールに変更される、若しくは、画像表示領域１５ｂの受信メールの一覧表示が前ページのものに変更される。
【００５６】
第４状態で、第２操作キー１１ｂが押下されると、第２機能表示領域１５ａ２に表示された内容「下へ」に対応して、画像表示領域１５ｂに一覧表示された受信メールのうち選択状態（アクティブ）にされた受信メールが下方向に隣接した受信メールに変更される、若しくは、画像表示領域１５ｂの受信メールの一覧表示が次ページのものに変更される。
【００５７】
第４状態で、第３操作キー１１ｃが押下されると、第３機能表示領域１５ａ３に表示された内容「次のページ」に対応して、画像表示領域１５ｂの受信メールの一覧表示が次ページのものに変更される。
【００５８】
第４状態で、第４操作キー１１ｄが押下されると、第４機能表示領域１５ａ４に表示された内容「見る」に対応して、機能表示領域１５ａには、受信メールの内容表示に関連した機能の表示が行われ、画像表示領域１５ｂには、画像表示領域１５ｂの受信メールの一覧表示された受信メールのうち選択状態（アクティブ）にされた受信メールの内容の表示が行われ、状態表示領域１５ｃには、通信部１７の受信感度を示すアイコンの表示が行われる（第８状態、図８参照）。
【００５９】
第４状態で、第５操作キー１１ｅが押下されると、第５機能表示領域１５ａ５に表示された内容「削除」に対応して、画像表示領域１５ｂの受信メールの一覧表示された受信メールのうち選択状態（アクティブ）にされた受信メールを削除する確認画面表示が行われる（不図示）。
【００６０】
第４状態で、第６操作キー１１ｆが押下されると、第６機能表示領域１５ａ６に表示された内容「戻る」に対応して、第１状態に戻される。
【００６１】
予め設定した電話番号への発信中であることを示す画像表示を行う第５状態では、第３機能表示領域１５ａ３に「音量を上げる」が表示され、第４機能表示領域１５ａ４に「音量を下げる」が表示され、第６機能表示領域１５ａ６に「終了」が表示される（図６参照）。第１機能表示領域１５ａ１、第２機能表示領域１５ａ２、第５機能表示領域１５ａ５は、空白表示される。また、通信部１７を介して、予め設定した電話番号への発信が行われる。
【００６２】
予め設定した電話番号の電話が着信応答した場合には、マイク２５、スピーカー２７を使って通話が可能な状態にされ、発信中であることを示す画面表示から、通話中であることを示す画面表示に切り替えられる（不図示）。通信機能付き画像表示装置１が載置された状態で、マイク２５、スピーカー２７を使って通話が可能である。
【００６３】
第５状態で、第３操作キー１１ｃが押下されると、第３機能表示領域１５ａ３に表示された内容「音量を上げる」に対応して、通話時の音量が上げられ、状態表示領域１５ｃにおける通話音量を示す表示も変化し、第４操作キー１１ｄが押下されると、第４機能表示領域１５ａ４に表示された内容「音量を下げる」に対応して、通話時の音量が下げられ、状態表示領域１５ｃにおける通話音量を示す表示も変化する。
【００６４】
第５状態で、第１操作キー１１ａ、第２操作キー１１ｂ、第５操作キー１１ｅは無効キーで、押下されても状態変化はない。
【００６５】
第５状態で、第６操作キー１１ｆが押下されると、第６機能表示領域１５ａ６に表示された内容「終了」に対応して、発信動作が中止され、第１状態に戻される。
【００６６】
選択された画像の拡大表示を行う第７状態では、第１機能表示領域１５ａ１に「写真の操作」が表示され、第２機能表示領域１５ａ２に「前の写真」が表示され、第３機能表示領域１５ａ３に「次の写真」が表示され、第４機能表示領域１５ａ４に「スライドショー開始」が表示され、第５機能表示領域１５ａ５に「発信」が表示され、第６機能表示領域１５ａ６に「戻る」が表示される（図７参照）。
【００６７】
第７状態で、第１操作キー１１ａが押下されると、第１機能表示領域１５ａ１に表示された内容「写真の操作」に対応して、機能表示領域１５ａを非表示にして、拡大された画像を更に拡大して表示（全画面表示）したり、拡大された画像の画像データを添付したメールの内容を表示したりする操作画面表示が行われる（不図示）。全画面表示された場合には、機能表示領域１５ａが非表示にされるが、かかる状態で、第１操作キー１１ａ〜第６操作キー１１ｆのいずれかが押下されると、第７状態に戻される。
【００６８】
第７状態で、第２操作キー１１ｂが押下されると、第２機能表示領域１５ａ２に表示された内容「前の写真」に対応して、画像表示領域１５ｂにおける、現在表示されている画像の表示が、現在表示されている画像よりも前に並べられた画像の表示に変更される。
【００６９】
第７状態で、第３操作キー１１ｃが押下されると、第３機能表示領域１５ａ３に表示された内容「次の写真」に対応して、画像表示領域１５ｂにおける、現在表示されている画像の表示が、現在表示されている画像よりも後ろに並べられた画像の表示に変更される。
【００７０】
第７状態で、第４操作キー１１ｄが押下されると、第４機能表示領域１５ａ４に表示された内容「スライドショー開始」に対応して、表示対象の画像が指定時間間隔ごとに切り替わる全画面表示が行われる。
【００７１】
第７状態で、第５操作キー１１ｅが押下された場合には、第５機能表示領域１５ａ５に表示された内容「発信」に対応して、通信部１７を介して、予め設定した電話番号への発信が行われ、機能表示領域１５ａには、通話音量など電話の発信に関連した機能の表示が行われ、画像表示領域１５ｂに表示された画像の上に重畳して、発信中であることを示す画像表示が行われ、機能表示領域１５ａには、状態表示領域１５ｃには、拡大表示対象の画像が記録部１９に記録されたものであることを示す表示、画像表示のページ数と総ページ数を示す表示、通話音量を示す表示、及び通信部１７の受信感度を示すアイコンの表示が行われる（不図示）。
【００７２】
第７状態で、第６操作キー１１ｆが押下されると、第６機能表示領域１５ａ６に表示された内容「戻る」に対応して、第２状態に戻される。
【００７３】
選択された受信メールの内容の表示を行う第８状態では、第１機能表示領域１５ａ１に「上へ」が表示され、第２機能表示領域１５ａ２に「下へ」が表示され、第４機能表示領域１５ａ４に「ありがとう」が表示され、第６機能表示領域１５ａ６に「閉じる」が表示される（図８参照）。第３機能表示領域１５ａ３、第５機能表示領域１５ａ５は、空白表示される。
【００７４】
第８状態で、第１操作キー１１ａが押下されると、第１機能表示領域１５ａ１に表示された内容「上へ」に対応して、画像表示領域１５ｂにおける受信メールの内容の表示が上方向にスクロールされる（文頭に近い部分が表示される）。
【００７５】
第８状態で、第２操作キー１１ｂが押下されると、第２機能表示領域１５ａ２に表示された内容「下へ」に対応して、画像表示領域１５ｂにおける受信メールの内容の表示が下方向にスクロールされる（文末に近い部分が表示される）。
【００７６】
第８状態で、第３操作キー１１ｃ、第５操作キー１１ｅは無効キーで、押下されても状態変化はない。
【００７７】
第８状態で、第４操作キー１１ｄが押下されると、第４機能表示領域１５ａ４に表示された内容「ありがとう」に対応して、受信メールの送信元に、定型文「ありがとう」を含む内容の返信メールが送信され、送信結果を示す画像表示が行われる（不図示）。第８状態における第４操作キー１１ｄの押下により、通信機能付き画像表示装置１の使用者は、定型文のメール返信を行うことが可能になる。
【００７８】
第８状態で、第６操作キー１１ｆが押下されると、第６機能表示領域１５ａ６に表示された内容「閉じる」に対応して、第４状態に戻される。
【００７９】
通信機能付き画像表示装置１に対して電話の着信があった場合には、割り込み処理で、着信を示す表示、スピーカー２７による着信音出力が行われる（第９状態、図９参照）。
【００８０】
着信中を示す表示を行う第９状態では、第１機能表示領域１５ａ１に「応答」が表示され、第６機能表示領域１５ａ６に「終了」が表示される（図９参照）。第２機能表示領域１５ａ２、第３機能表示領域１５ａ３、第４機能表示領域１５ａ４、第５機能表示領域１５ａ５は、空白表示される。
【００８１】
第９状態において、第１操作キー１１ａが押下されると、第１機能表示領域１５ａ１に表示された内容「応答」に対応して、着信応答が行われ、マイク２５、スピーカー２７を使って通話が可能な状態にされ、着信中であることを示す画面表示から、通話中であることを示す画面表示に切り替えられる（不図示）。通信機能付き画像表示装置１が載置された状態で、マイク２５、スピーカー２７を使って通話が可能である。
【００８２】
第９状態で、第２操作キー１１ｂ、第３操作キー１１ｃ、第４操作キー１１ｄ、第５操作キー１１ｅは無効キーで、押下されても状態変化はない。
【００８３】
第９状態において、第６操作キー１１ｆが押下されると、第６機能表示領域１５ａ６に表示された内容「終了」に対応して、着信応答が行われず、着信中であることを示す画面表示から、割り込み処理が行われる前の状態に戻される。
【００８４】
本実施形態では、通信機能付き画像表示装置１の操作は、他の操作ボタンを必要とせず、第１機能表示領域１５ａ１〜第６機能表示領域１５ａ６に表示された情報（文字やアイコン）を見ながら、第１機能表示領域１５ａ１〜第６機能表示領域１５ａ６に対応する第１操作キー１１ａ〜第６操作キー１１ｆを押下することにより行われる。第１機能表示領域１５ａ１〜第６機能表示領域１５ａ６は、第１操作キー１１ａ〜第６操作キー１１ｆそれぞれの近傍に配置されるため、対応関係は分かりやすく、誤操作する可能性が低い。また、第１操作キー１１ａ〜第６操作キー１１ｆは、様々な機能を動作させるための操作キーであるが、その機能は、第１機能表示領域１５ａ１〜第６機能表示領域１５ａ６に表示されるし、動作状態に応じてその表示内容も変化する。このため、第１操作キー１１ａ〜第６操作キー１１ｆのそれぞれに、機能を説明する表記を行う必要もない。
【００８５】
また、第１操作キー１１ａ〜第６操作キー１１ｆは、表示画面上のタッチスイッチではなく、一定のストロークがある押しボタンで構成されるため、タッチパネルに触れる形態に比べて、操作した感覚を使用者が感じることが出来、操作に不慣れな使用者でも、簡単に操作を行うことが可能になる。
【００８６】
なお、通信機能付き画像表示装置１の表示部１５に表示する画像のデータは、画像データを添付した電子メールを受信した時に、自動的に記録部１９に記録されるため、使用者が画像データの取り込みの為に特別な操作を行う必要はない。
【００８７】
また、受信メールの返信についても、使用者による一定の動作（第８状態で、第４操作キー１１ｄを押下すること）だけで、定型文を送り返すことが出来る。このため、通信機能付き画像表示装置１に対して電子メールを送った送信者は、かかる定型文の返信メールを受け取ることにより、通信機能付き画像表示装置１の使用者の安否を確認することが可能になる。
【符号の説明】
【００８８】
１  通信機能付き画像表示装置
１１  第１操作部
１１ａ〜１１ｆ  第１操作キー〜第６操作キー
１２  第２操作部
１３  制御部
１５  表示部
１５ａ  機能表示領域
１５ａ１〜１５ａ６  第１機能表示領域〜第６機能表示領域
１５ｂ  画像表示領域
１５ｃ  状態表示領域
１７  通信部
１９  記録部
２１  外部接続インターフェース
２３  記録媒体保持部
２５  マイク
２７  スピーカー
【図１】
2012234225.tif 000003
【図２】
2012234225.tif 000004
【図３】
2012234225.tif 000005
【図４】
2012234225.tif 000006
【図５】
2012234225.tif 000007
【図６】
2012234225.tif 000008
【図７】
2012234225.tif 000009
【図８】
2012234225.tif 000010
【図９】
2012234225.tif 000011